【誤訳訂正書】
【提出日】平成25年10月30日(2013.10.30)
【誤訳訂正１】
【訂正対象書類名】特許請求の範囲
【訂正対象項目名】全文
【訂正方法】変更
【訂正の内容】
【特許請求の範囲】
【請求項１】
粒子が安定化可能であるかまたは安定した水性組成物中で分散液の形で被覆すべき表面上に施こされ、静電力によって被覆すべき表面上に施こされ、および固着されることにより、高い粒子密度の洗浄耐性の層を形成するように多数の無機水不溶性粒子または／および有機水不溶性粒子を用いて場合によっては前被覆されていてよい物体の金属表面（＝被覆すべき表面）を無電流被覆する方法において、
被覆すべき表面を最初に活性化剤で活性化し、その際活性化剤で被覆すべき表面上に、電荷を有する活性化層を形成させ、その際この電荷は、引続き施こすべき、組成物の粒子の電荷と反対に帯電されているかまたは／および帯電され、
活性化層を被覆すべき表面上に形成させ、この場合この表面は、カチオン活性化層の場合に少なくとも１つのカチオン性化合物との接触によって形成され、
単数または複数のカチオン性化合物として少なくとも１つのプロトン化可能なシランまたは／およびプロトン化されたシランまたは／および少なくとも１つのプロトン化可能な窒素含有化合物または／およびプロトン化された窒素含有化合物を使用し、
前記カチオン性化合物は、シラン／シラノール／シロキサン／ポリシロキサン／シラザン／ポリシラザンから選択される、少なくとも１つの窒素含有基を有する水溶液カチオン性珪素含有化合物であり、
被覆工程において、被覆すべき表面に粒子含有組成物が施こされて形成された層に含まれる粒子は、活性化層の電荷と反対に帯電されているかまたは／および帯電され、
粒子としてアニオン性に安定化された水性ポリマー粒子分散液を使用し、
粒子含有組成物を用いる１つの被覆工程または全ての被覆工程において、それぞれ１つの層は、施こされた粒子の複数の平均粒度の平均厚さで被覆すべき表面上に形成され、前記粒子層または全ての粒子層が引続き被膜形成され、または／および架橋され、それによって被膜形成されていない粒子の粒子層または全ての粒子層の層厚、または／およびこれから形成される、単数または複数の被膜が形成され、または／および架橋された被膜の層厚は、それぞれ５ｎｍ〜５０μｍの範囲内で達成され、
活性化層、または最後の粒子層の粒子は、正に帯電された液体で帯電され（正への帯電）、
活性化層の正への帯電は、少なくとも１つの酸または／およびカチオン基を有する少なくとも１つの物質での処理によって行なわれる、
ことを特徴とする、前記方法。
【請求項２】
粒子含有組成物を用いる１つの被覆工程または全ての被覆工程において、前記被覆工程のさらなる継続とは無関係にそれぞれ１つの層が、施こされた粒子のほぼ１つまたはそれ以上の平均粒度の平均厚さで被覆すべき表面上に形成される、請求項１記載の方法。
【請求項３】
粒子を含有する組成物を用いる少なくとも１つの第２の静電被覆工程の場合に静電により施こされた粒子は、粒子のそれぞれ先に施こされた層の電荷に対して反対に帯電されているかまたは／および帯電される、請求項１または２に記載の方法。
【請求項４】
多数の粒子層は、粒子含有組成物から互いに重なり合って形成され、この場合前記層は、プロトンまたは／およびカチオンで正に帯電されているかまたは／および帯電される粒子、およびアニオンで負に帯電されているかまたは／および帯電される粒子から交互に形成されているかまたは／および形成される、請求項１から３までのいずれか１項に記載の方法。
【請求項５】
洗浄耐性の活性化層が形成される、請求項１から４までのいずれか１項に記載の方法。
【請求項６】
活性化層または／および粒子層の洗浄は、流れる水性洗浄液体または／および流動する水性洗浄液体で行なわれる、請求項１から５までのいずれか１項に記載の方法。
【請求項７】
活性化層がプロトンまたは／およびカチオンで正に帯電されているかまたは／および帯電され、およびこの活性化層の上に施こされた、粒子含有組成物の第１の粒子層が相応してアニオンまたは／および少なくとも１つのアニオン性化合物で負に帯電されているかまたは／および帯電される、請求項１から６までのいずれか１項に記載の方法。
【請求項８】
帯電された活性化層または最後の粒子層の帯電された粒子は、少なくとも１つの相応して帯電された物質と接触され、このことは、なおいっそう強い正または負の電荷を生じる、請求項１から７までのいずれか１項に記載の方法。
【請求項９】
カチオン活性化層の活性化は、少なくとも１つのカチオン性珪素化合物を用いて行なわれ、または／および活性化層の正への帯電は、少なくとも１つの酸または／およびカチオン基での処理によって行なわれる、請求項１から８までのいずれか１項に記載の方法。
【請求項１０】
粒子層の粒子の活性化は、少なくとも１つのアニオン性化合物で行なわれ、または／および粒子層の粒子の負への帯電は、少なくとも１つのアニオンまたは／および少なくとも１つのアニオン性化合物での処理によって行なわれる、請求項１から９までのいずれか１項に記載の方法。
【請求項１１】
前記組成物は、安定した分散液のｐＨ値で測定した、−２００〜＋２００ｍＶの範囲内のゼータ電位を有する、請求項１から１０までのいずれか１項に記載の方法。
【請求項１２】
粒子含有組成物中、粒子層中または／およびこれから形成された被膜中の粒子として、エポキシド、エチレンアクリレート、アルキル（メタ）アクリレート、ポリエチレン、ポリイソブチレン、ポリアクリロニトリル、ポリ塩化ビニル、ポリ（メタ）アクリレート、ポリアルキル（メタ）アクリレート、ポリメチルメタクリレート、ポリビニルアセテート、ポリビニルアルコール、ポリ塩化ビニリデン、ポリテトラフルオロエチレン、ポリイソプレン、ポリプロピレン、ポリ（メタ）アクリレート、ポリエステル、ポリエーテル、アミノプラスト、ポリウレタン、フェノール樹脂、アルキド樹脂、ポリカーボネート、ポリアミド、ポリスチレン、ポリスルフィド、ポリシロキサン、ポリビニルアセタール、ポリアセタール、スチレンアクリレート、これらの誘導体、これらの配合物または／およびこれらの混合物を基礎とする有機ポリマーが使用される、請求項１から１１までのいずれか１項に記載の方法。
【請求項１３】
生じた粒子層は、洗浄液体で洗浄され、その後に湿潤状態、湿り気のある状態または表面的に乾燥された状態でプライマーまたは／および塗料の少なくとも１つの有機組成物で被覆され、または／および先に施こされた粒子層の粒子に対して反対の電荷の他の粒子で被覆される、請求項１から１２までのいずれか１項に記載の方法。
【請求項１４】
前記洗浄を、水及び／又は少なくとも１つの水性後洗浄液体によって行う、請求項１３に記載の方法。
【請求項１５】
有機粒子を含有する粒子層が形成され、引続き被膜形成され、または／および架橋される、請求項１から１４までのいずれか１項に記載の方法。
【請求項１６】
粒子含有組成物、これから形成される粒子層または／およびこれから形成される被膜は、少なくとも１つの種類の粒子と共にそれぞれ少なくとも１つの染料、有色顔料、防錆顔料、腐蝕抑制剤、導電性顔料、他の種類の粒子、シラン／シラノール／シロキサン／ポリシロキサン／シラザン／ポリシラザン、塗料添加剤または／および添加剤、界面活性剤、消泡剤または／および分散剤を含有する、請求項１から１５までのいずれか１項に記載の方法。
【請求項１７】
前記被膜が、被膜形成または／および架橋によって形成される、請求項１６に記載の方法。
【請求項１８】
前記組成物または／およびこれから形成される被膜は、少なくとも１つの種類の粒子と共に、および場合により少なくとも１つの非粒子状物質と共に、部分的または完全に、プライマー、塗料、充填剤、トップラッカーまたは／およびクリヤラッカーのための化学組成を有する、請求項１から１７までのいずれか１項に記載の方法。
【請求項１９】
請求項１から１８までのいずれか１項に記載の方法により形成された被膜。
【請求項２０】
線材、組み線、ベルト、金属シート、異形成形材、ライニング、車両または航空機の部材、家庭電化製品のためのエレメント、建築構造におけるエレメント、台座、ガードレールのエレメント、ラジエータのエレメントもしくはフェンスのエレメント、複雑化された幾何学的形状の成形部材または小型部材としての請求項１から１８までのいずれか１項に記載の方法により被覆された支持体の使用。
【誤訳訂正２】
【訂正対象書類名】明細書
【訂正対象項目名】００１６
【訂正方法】変更
【訂正の内容】
【００１６】
被覆すべき物体または／および粒子は、全ての任意の材料からなるものであることができる。好ましくは、物体および／または粒子は、金属、合金、プラスチック、複合材料、天然材料、ガラスまたは／およびセラミックからなる表面を有する。腐蝕から保護することができる任意の常用の金属物体は、物体として利用されてもよい。しかし、原則的にそれぞれ少なくとも１つのプラスチック、複合材料、天然材料、ガラス、セラミックまたは／および金属材料からなる、場合により既に被覆されている全ての物体であることができ、この物体は、今や被覆される。例えば、車体、緩衝器、機器および建築物のためのプラスチック要素は、本発明による形式で被覆されることができる。物体に対する同様のことは、粒子にも当てはまり、この場合には、被覆された粒子が製造される。これは、殊によりいっそう大きな粒子および配合された粒子にも当てはまる。
【誤訳訂正３】
【訂正対象書類名】明細書
【訂正対象項目名】０１２１
【訂正方法】変更
【訂正の内容】
【０１２１】
本発明による被膜は、特に、線材、組み線、ベルト、金属シート、異形成形材、ライニング、車両または航空機の部材、家庭電化製品のためのエレメント、建築構造におけるエレメント、台座、またはガードレール、ラジエータもしくはフェンスのエレメント、複雑化された幾何学的形状の成形部材または小型部材、例えばねじ、ナット、フランジもしくはばねとしての被覆された支持体に対して使用されることができる。特に好ましくは、この被膜は、自動車構造において、建築構造において、装置構造のため、家庭電化製品のため、または暖房設備において使用される。
【誤訳訂正４】
【訂正対象書類名】明細書
【訂正対象項目名】００１２
【訂正方法】変更
【訂正の内容】
【００１２】
この課題は、粒子が安定化可能であるかまたは安定した水性組成物中で分散液（＝懸濁液または／および乳濁液）の形で被覆すべき表面上に施こされ、本質的に、または主に静電力によって被覆すべき表面上に施こされ、および固着されることにより、高い粒子密度の本質的に洗浄耐性の層の形成下に多数の無機水不溶性粒子または／および有機水不溶性粒子を用いて場合によっては前被覆されていてよい物体の殊に金属表面（＝被覆すべき表面）を無電流被覆する方法で解決され、この方法は、被覆すべき表面を最初に活性化剤で活性化し、その際活性化剤で被覆すべき表面上に、電荷を有する活性化層を形成させ、その際この電荷は、引続き施こすべき、組成物の粒子の電荷と反対に帯電されているかまたは／および帯電され、
活性化層を被覆すべき表面上に形成させ、この場合この表面は、カチオン活性化層の場合に少なくとも１つのカチオン性化合物との接触によって形成され、およびアニオン活性化層の場合に少なくとも１つのアニオン性化合物との接触によって形成され、
単数または複数のカチオン性化合物として少なくとも１つのプロトン化可能なシランまたは／およびプロトン化されたシランまたは／および少なくとも１つのプロトン化可能な窒素含有化合物または／およびプロトン化された窒素含有化合物を使用するか、または単数または複数のアニオン性化合物として、少なくとも１つの脱プロトン化された化合物または／および少なくとも１つの脱プロトン化されたアニオンまたは／および少なくとも１つの脱プロトン化可能な化合物または／および脱プロトン化されたアニオン性化合物を使用し、
被覆工程において、粒子含有組成物が施こされた粒子は、活性化層の電荷と反対に帯電されているかまたは／および帯電され、
粒子としてアニオン性に安定化された水性ポリマー粒子分散液またはカチオン性に安定化された水性ポリマー粒子分散液を使用し、
粒子含有組成物を用いる１つの被覆工程または全ての被覆工程において、それぞれ１つの層は、施こされた粒子の複数の平均粒度の平均厚さで被覆すべき表面上に形成され、場合によっては前記粒子層または全ての粒子層が引続き被膜形成され、または／および前記粒子層または全ての粒子層が引続き架橋され、それによって被膜形成されていない粒子の粒子層または全ての粒子層の層厚、または／およびこれから形成される、被膜形成され、または／および架橋された被膜の層厚は、それぞれ５ｎｍ〜５０μｍの範囲内で達成されることによって特徴付けられる。